(57)【特許請求の範囲】
【請求項１】
データ転送を開始するデータ転送開始端末装置から１台以上の他の端末装置を経由し、データを複製しながら基地局装置へデータ転送を行う無線ネットワークシステムにおいて、
前記データ転送開始端末装置と前記基地局装置の位置関係に応じて前記データ転送開始端末装置から前記基地局装置までのデータ転送のホップ数Ｈを推定し、前記データ転送開始端末装置からデータ転送のホップ数が（Ｈ−１）となる範囲内に存在する端末装置の総数を推定して前記データ転送開始端末装置における最大データ複製数Ｌを設定する動的複製制御手段と、
前記最大データ複製数Ｌと前記ホップ数Ｈに応じて、転送元の端末装置が転送先の端末装置の数βと転送するデータ数を決定し、データ転送を前記（Ｈ−１）ホップ以内に制限する円状複製配布手段と
を備えたことを特徴とする無線ネットワークシステム。
【請求項２】
請求項１に記載の無線ネットワークシステムにおいて、
前記データ転送開始端末装置は、自装置の位置情報を取得して前記基地局装置との距離を算出し、１端末装置がデータ転送できる最大距離で除することにより前記ホップ数Ｈを算出する構成である
ことを特徴とする無線ネットワークシステム。
【請求項３】
請求項２に記載の無線ネットワークシステムにおいて、
前記データ転送開始端末装置は、その通信範囲内に存在する端末の総数αと、前記ホップ数Ｈにより、前記最大データ複製数Ｌを次式により求める構成である
Ｈ＝１のとき、Ｌ＝１
Ｈ≧２のとき、Ｌ＝（α＋１)・(Ｈ−１)2
ことを特徴とする無線ネットワークシステム。
【請求項４】
請求項３に記載の無線ネットワークシステムにおいて、
前記転送元の端末装置は、前記転送先の端末装置の数βを次式により求める構成であり、
βH −Ｌβ＋（Ｌ−１）＝０
前記転送元の端末装置が保持する複製データが１個、または前記転送先の端末装置がβ番目になったときに、前記転送元の端末装置は前記基地局以外にデータ転送しない構成である
ことを特徴とする無線ネットワークシステム。
【請求項５】
データ転送を開始するデータ転送開始端末装置から１台以上の他の端末装置を経由し、データを複製しながら基地局装置へデータ転送を行う無線データ転送方法において、
前記データ転送開始端末装置と前記基地局装置の位置関係に応じて前記データ転送開始端末装置から前記基地局装置までのデータ転送のホップ数Ｈを推定し、前記データ転送開始端末装置からデータ転送のホップ数が（Ｈ−１）となる範囲内に存在する端末装置の総数を推定して前記データ転送開始端末装置における最大データ複製数Ｌを設定するステップと、
前記最大データ複製数Ｌと前記ホップ数Ｈに応じて、転送元の端末装置が転送先の端末装置の数βを決定し、データ転送を前記（Ｈ−１）ホップ以内に制限するステップと
を有することを特徴とする無線データ転送方法。
【請求項６】
データ転送を開始するデータ転送開始端末装置から１台以上の他の端末装置を経由し、データを複製しながら基地局装置へデータ転送を行う無線ネットワークシステムの端末装置において、
前記データ転送開始端末装置と前記基地局装置の位置関係に応じて前記データ転送開始端末装置から前記基地局装置までのデータ転送のホップ数Ｈを推定し、前記データ転送開始端末装置からデータ転送のホップ数が（Ｈ−１）となる範囲内に存在する端末装置の総数を推定して前記データ転送開始端末装置における最大データ複製数Ｌを設定する手段と、
前記最大データ複製数Ｌと前記ホップ数Ｈに応じて、転送元の端末装置が転送先の端末装置の数βを決定し、データ転送を前記（Ｈ−１）ホップ以内に制限する手段と
を備えたことを特徴とする端末装置。
【発明の詳細な説明】
【技術分野】
【０００１】
本発明は、基地局装置の圏外地域に存在し、データ転送を開始する端末装置（以下「データ転送開始端末装置」という）から１台以上の他の端末装置を経由して基地局装置へデータ転送を行う無線ネットワークにおいて、基地局装置へのデータ到着率を向上させる無線ネットワークシステム、無線データ転送方法および端末装置に関する。
【背景技術】
【０００２】
データ転送開始端末装置と基地局装置との間のリンクが途絶している場合に、リンクが確保されている１台以上の他の端末装置を経由し、各端末装置でデータを複製しながらデータ転送開始端末装置から基地局装置へのデータ転送を行う無線ネットワークシステムは、遅延許容ネットワーク（非特許文献１）として知られている。遅延許容ネットワークでは、ＴＣＰ／ＩＰでは対応できなかったデータ転送時の大きな遅延時間やリンク途絶に対応することができる。
【０００３】
図７は、遅延許容ネットワークにおけるデータ転送方式を示す。
図７において、データ転送開始端末装置はまず、自身と直接リンクをもつ他の中に基地局装置が存在するか否かを確認し、基地局装置とのリンクが確保されていれば、基地局装置にデータを転送して通信を終了する。基地局装置とのリンクが確保されていなければ、データ転送開始端末装置でデータの複製を行い、複製したデータをリンクが確保されている他の端末装置に転送する。データを受け取った端末装置は、同様に基地局装置とのリンクが確保されていなければデータの複製を行い、複製したデータを他の端末装置に転送する。これを繰り返すことにより、データ転送開始端末装置から基地局装置までのデータ転送を実現する。また、データ転送開始端末装置でデータが発生してから、ＴＴＬ（Time To Live）時間が経過すると、当該データと当該データから複製されたすべてのデータはネットワーク内から削除される。
【０００４】
このようなデータ転送方式を用いる従来技術として、ＥＲ(Epidemic Routing)（非特許文献２）やＢＳＷ（Binary Spray and Wait)（非特許文献３）がある。以下では、データ転送を行う側の端末装置を「転送元端末装置」と呼び、データ転送を受ける側の端末装置を転送先端末装置」と呼ぶ。
【先行技術文献】
【非特許文献】
【０００５】
【非特許文献１】K.Fall,“A Delay-Tolerant Network Architecture for Challengied Internets,”Proceedings of ACM SIGCOMM'03, pp.27-34, Aug. 2003
【非特許文献２】A.Jindal and K.Psounis,“Performance Analysis of Epidemic Routing under Contention," Proc. of IWCMC'06, pp.539-544, Jul. 2006
【非特許文献３】T.Spyropoulos, K.Psounis, C.S.Raghavendra, “Spray and Wait: An E.cient Routing Scheme for Intermit-tently Connected Mobile Networks,”Proc. of ACM SIGCOMM'05, pp.252-259, Aug. 2005
【発明の概要】
【発明が解決しようとする課題】
【０００６】
ＥＲは、転送元端末装置のデータ転送可能な範囲に転送先端末装置が現れるたびに、転送元端末装置が転送先端末装置にデータを１個複製して転送し、これを繰り返す。すなわち、転送元端末装置は転送先端末装置が現れるたびにデータを複製するため、ネットワーク内に複製データが制限なく増える可能性がある。その結果、端末装置は様々なデータ転送開始端末装置から転送された複製データを保持することになるため、１端末装置が保持する複製データの数が増加し、端末装置のバッファでデータドロップが頻発する。以上より、ＥＲは基地局装置のデータ到着率が低下する問題がある。
【０００７】
ＢＳＷは、転送元端末装置のデータ転送可能な範囲に転送先端末装置が現れるたびに、転送元端末装置が保持する複製データの半分を転送先端末装置に転送する。ＢＳＷにおけるデータ転送手順を図８に示す。図８(1) に示すように、データ転送開始端末装置がＬ個の複製データを生成する。ここでＬはシステムで一意に固定する。次に図８(2) に示すように、転送元端末装置は現時点で保持しているＬ' 個の複製データの半分Ｌ'/２を転送先端末装置に転送する。最後に、図８(3) に示すように、Ｌ' ＝１になった転送元端末装置は基地局装置のみにデータ転送を行うことで、データ転送開始端末装置から基地局装置へのデータ転送を実現する。
【０００８】
ＢＳＷでは、データ転送開始端末装置が最大データ複製数Ｌを全ユーザで一様に設定する。Ｌを大きくすると、ＥＲと同様の問題が発生する。一方、Ｌを小さくすると、基地局装置までデータ転送が行われない可能性が増す。したがって、Ｌは経験的に適度な値に設定せざるを得ない。しかし、経験的に適度なＬの値を設定しても、図９(1) に示すように、データ転送開始端末装置が基地局装置から遠い場合には、データが基地局装置から遠い範囲のみでしか転送されない。一方、データ転送開始端末装置が基地局装置から近い場合には、図９(2) に示すように、無駄なデータの複製が増加する。したがって、ＢＳＷもＥＲと同様にデータ到着率が低下する問題がある。
【０００９】
このように、最大データ複製数Ｌを固定にした場合、データ転送開始端末装置と基地局装置の位置関係によってデータの到着率に差が生じ、データ到着率の公平性が確保できない課題があった。
【００１０】
本発明は、データ転送開始端末装置と基地局装置の位置関係を考慮し、データ転送開始端末装置から基地局装置へ転送されるデータの到着率とデータ到着率の公平性を向上させることができる無線ネットワークシステム、無線データ転送方法および端末装置を提供することを目的とする。
【課題を解決するための手段】
【００１１】
第１の発明は、データ転送を開始するデータ転送開始端末装置から１台以上の他の端末装置を経由し、データを複製しながら基地局装置へデータ転送を行う無線ネットワークシステムにおいて、データ転送開始端末装置と基地局装置の位置関係に応じてデータ転送開始端末装置から基地局装置までのデータ転送のホップ数Ｈを推定し、データ転送開始端末装置からデータ転送のホップ数が（Ｈ−１）となる範囲内に存在する端末装置の総数を推定してデータ転送開始端末装置における最大データ複製数Ｌを設定する動的複製制御手段と、最大データ複製数Ｌとホップ数Ｈに応じて、転送元の端末装置が転送先の端末装置の数βと転送するデータ数を決定し、データ転送を（Ｈ−１）ホップ以内に制限する円状複製配布手段とを備える。
【００１２】
第１の発明の無線ネットワークシステムにおいて、データ転送開始端末装置は、自装置の位置情報を取得して基地局装置との距離を算出し、１端末装置がデータ転送できる最大距離で除することによりホップ数Ｈを算出する構成である。
【００１３】
さらに、データ転送開始端末装置は、その通信範囲内に存在する端末の総数αと、ホップ数Ｈにより、最大データ複製数Ｌを次式により求める構成である
Ｈ＝１のとき、Ｌ＝１
Ｈ≧２のとき、Ｌ＝（α＋１)・(Ｈ−１)2
【００１４】
さらに、転送元の端末装置は、転送先の端末装置の数βを次式により求める構成であり、
βH −Ｌβ＋（Ｌ−１）＝０
転送元の端末装置が保持する複製データが１個、または転送先の端末装置がβ番目になったときに、転送元の端末装置は基地局以外にデータ転送しない構成である。
【００１５】
第２の発明は、データ転送を開始するデータ転送開始端末装置から１台以上の他の端末装置を経由し、データを複製しながら基地局装置へデータ転送を行う無線データ転送方法において、データ転送開始端末装置と基地局装置の位置関係に応じてデータ転送開始端末装置から基地局装置までのデータ転送のホップ数Ｈを推定し、データ転送開始端末装置からデータ転送のホップ数が（Ｈ−１）となる範囲内に存在する端末装置の総数を推定してデータ転送開始端末装置における最大データ複製数Ｌを設定するステップと、最大データ複製数Ｌとホップ数Ｈに応じて、転送元の端末装置が転送先の端末装置の数βを決定し、データ転送を（Ｈ−１）ホップ以内に制限するステップとを有する。
【００１６】
第３の発明は、データ転送を開始するデータ転送開始端末装置から１台以上の他の端末装置を経由し、データを複製しながら基地局装置へデータ転送を行う無線ネットワークシステムの端末装置において、データ転送開始端末装置と基地局装置の位置関係に応じてデータ転送開始端末装置から基地局装置までのデータ転送のホップ数Ｈを推定し、データ転送開始端末装置からデータ転送のホップ数が（Ｈ−１）となる範囲内に存在する端末装置の総数を推定してデータ転送開始端末装置における最大データ複製数Ｌを設定する手段と、最大データ複製数Ｌとホップ数Ｈに応じて、転送元の端末装置が転送先の端末装置の数βを決定し、データ転送を（Ｈ−１）ホップ以内に制限する手段とを備える。
【発明の効果】
【００１７】
本発明は、データ転送開始端末装置から（Ｈ−１）ホップ以内の端末装置数に応じて最大データ複数数Ｌを必要最小に制限し、さらにデータ転送を（Ｈ−１）ホップ以内に制限する制御により、データ転送開始端末装置と基地局装置との位置関係によらず、基地局装置へのデータ到着率を向上させることができる。
【図面の簡単な説明】
【００１８】
【図１】本発明の無線ネットワークシステムの構成例を示す図である。
【図２】本発明におけるデータ転送手順を示す図である。
【図３】データ転送開始端末装置と基地局装置の距離ｄの算出方法を示す図である。
【図４】本発明の無線ネットワークシステムの端末装置の構成例を示す図である。
【図５】本発明の無線ネットワークシステムの端末装置の処理手順を示すフローチャートである。
【図６】本発明の性能評価を示す図である。
【図７】遅延許容ネットワークにおけるデータ転送方式を示す図である。
【図８】ＢＳＷにおけるデータ転送手順を図である。
【図９】ＢＳＷにおけるデータ転送の課題を示す図である。
【発明を実施するための形態】
【００１９】
本発明は、データ転送開始端末装置と基地局装置の位置関係からデータ転送のホップ数Ｈを算出して最大データ複製数Ｌを必要最小に設定する制御（動的複製制御）と、さらに複製データの配布を（Ｈ−１）ホップ以内に制限し、データ転送開始端末装置を中心として同心円状にデータ転送を行う制御（円状複製配布）により、データ転送開始端末装置と基地局装置の位置関係によらず基地局装置へのデータ到着率を向上させることが特徴である。以下、動的複製制御と、円状複製配布の手法について説明する。
【００２０】
（動的複製制御）
図１は、本発明の無線ネットワークシステムの構成例を示す。
図１において、１はデータ転送開始端末装置、２は基地局装置、３はデータ転送開始端末装置以外の端末装置である。データ転送開始端末装置１は、基地局装置２との間の最小ホップ数Ｈを次式により求める。
Ｈ＝ [ｄ／ｒ]     …(1) 
【００２１】
ここで、ｄはデータ転送開始端末装置１から基地局装置２までの距離、ｒは１端末装置がデータ転送できる最大距離を示し、演算子 [Ｓ] は、Ｓ以上でＳに最も近い整数を表す。
【００２２】
データ転送開始端末装置１から基地局装置２までのデータ転送ルートがあり、端末装置３がエリア内にランダムに存在する前提では、データ転送開始端末装置１から（Ｈ−１）ホップ先の全端末装置までデータを転送すれば、基地局装置２まで残り１ホップとなるため、基地局装置２まで必ずデータを転送できる。すなわち、データ転送開始端末装置１を中心に、データ転送開始端末装置１から半径（Ｈ−１）ホップの同心円内に存在する全端末装置にデータ転送を行うことで、基地局装置２までのデータ到着率を向上させることが期待できる。
【００２３】
なお、データ転送開始端末装置１から基地局装置２まで確実にデータ転送を行う別の方法として、各端末装置がＧＰＳ（Global Positioning System ）により、自身の位置を常に把握し、転送元端末装置、転送先端末装置、基地局装置の位置関係を考慮して転送元端末装置から基地局装置の方向へ向かう位置にある転送先端末装置のみにデータ転送をする方法が考えられる。しかし、端末装置が移動する場合、常にＧＰＳを使用して自身の位置を把握しなければならず、電力消費が顕著になる問題がある。そのため、本発明では，データ転送開始端末装置１がデータを生成した時のみＧＰＳを利用して自身の位置を確認し、予め把握している基地局装置の位置情報に基づきデータ転送開始端末装置１から最近傍の基地局装置２までの距離ｄを計算し、式(1) により最小ホップ数Ｈを算出する。
【００２４】
次に、データ転送開始端末装置における最大データ複製数Ｌについて、データ転送開始端末装置から基地局装置までのホップ数Ｈと、データ転送開始端末装置の通信範囲内（例えばキャリアセンスで判明）に存在する端末装置の総数（端末密度）αから計算する。ここで、Ｈ＝１であれば、データ転送開始端末装置は、今後、基地局装置に直接データ転送を行えるため、データ複製を行わずに基地局装置との通信機会を伺う。また、Ｈ≧２であれば、データ転送開始端末装置は、転送先端末装置に複製データを転送することで、基地局装置と通信を行う。このとき、Ｌを最小数とするため、（Ｈ−１）ホップのエリアに存在する全端末装置数に１個ずつ、すなわち最小数の複製データを転送するとしたとき、次式が成立する。なお、端末装置が存在する密度が通信エリアで一定と仮定している。
（α＋１）：Ｌ＝πｒ2 ：π(ｒ(Ｈ−１))2     …(2) 
【００２５】
よって、データ転送開始端末装置における最大データ複製数Ｌは、次式により求まる。    Ｈ＝１のとき、Ｌ＝１                        …(3-1) 
Ｈ≧２のとき、Ｌ＝（α＋１)・(Ｈ−１)2      …(3-2) 
【００２６】
以上のようにデータ転送開始端末装置が最大データ複製数Ｌを計算することにより、ネットワーク環境に応じた動的複製制御が可能となる。
【００２７】
（円状複製配布）
データ転送開始端末装置が最大データ複製数Ｌを必要最小に制御した上で、円状複製配布の制御では、複製データの配布を（Ｈ−１）ホップ以内に制限するために、転送元端末装置が複製データを転送する転送先端末装置の個数βを決定する。
【００２８】
まず、転送元端末装置はβ個の転送先端末装置に対して複製データを転送し、当該転送元端末装置も１つのデータを保持する。転送元端末装置から複製データを転送されたβ個の転送先端末装置は、次の転送元端末装置となる。すなわち、この転送元端末装置もそれぞれβ個の転送先端末装置に対して複製データを転送し、１つのデータを保持する。この動作をデータ転送開始端末装置からの（Ｈ−１）ホップ繰り返したとき、最終的に複製データを保持している端末装置の数Ｎは次式となる。
Ｎ＝１＋β＋β2 ＋…＋βH-1 ＝（１−βH)／(１−β)    …(4) 
【００２９】
前述の通り、本発明では、（Ｈ−１）ホップのエリアに存在する全端末装置に１個ずつの複製データを転送するため、Ｎ＝Ｌとすると、次式が成立する。
βH −Ｌβ＋（Ｌ−１）＝０                            …(5) 
【００３０】
さらに、データ転送開始端末装置は、データを生成した時に、式(5) よりβを求め、正の整数に切り上げる。
【００３１】
図２は、本発明におけるデータ転送手順を示す。
図２(1) において、データ転送開始端末装置（転送元端末装置）は、基地局装置までの距離ｄを把握して式(1) に基づいて基地局装置までの最小ホップ数Ｈを算出し、さらに式(3-1),(3-2) に基づいて最小ホップ数Ｈに基づく最大データ複製数Ｌを算出し、さらに式(5) に基づいて転送先端末装置数βを算出する。
【００３２】
次に、図２(2) において、ある転送元端末装置がＬ’個の複製データを保持し、データ転送可能なβ' 番目の転送先端末装置が通信範囲に現れると、転送元端末装置が保持するＬ’個の複製データの中から転送先端末装置に転送できる複製データの数Ｄは、次のように求まる。ここで、転送元端末装置がβ−β’個の転送先端末装置にデータ転送を行った後、１つのデータを保持する必要があるので、転送元端末装置が転送してよいデータの個数は（Ｌ' −１）個である。さらに、転送元端末装置は、β−β’個の転送先端末装置に対して均等にデータを転送を行う必要があるので、転送元端末装置が転送先端末装置に転送できる複製データの数Ｄは、次式により求まる。
Ｄ＝ [(Ｌ'−１)／(β−β')]           …(6) 
なお、演算子 [Ｓ] は、Ｓ以上でＳに最も近い整数を表す。
【００３３】
転送元端末装置は、Ｄ個のデータ転送後に、保持している複製データが（Ｌ’−Ｄ）個となり、β’を（β−１）に更新する。一方、転送先端末装置は、Ｌ’とβ’をＤとβに更新する。
【００３４】
最後は、図２(3) に示すように、転送元端末装置が保持する複製データが１個（Ｌ’＝１）か、転送先端末装置がβ番目になったときは、転送元端末装置は基地局装置以外にデータ転送を行わない。
【００３５】
以上の方法を用いることにより、データ転送開始端末装置を中心とし、データ転送開始端末装置から半径（Ｈ−１）ホップの同心円内に存在する全端末装置に必要最低数の１個ずつデータ転送を行うことができる。その結果、データ転送開始端末装置は基地局装置の方角を気にすることなく通信可能な端末装置に複製データを配布するだけで、データ転送開始端末装置から基地局装置までのデータ到着率を向上させることができる。
【００３６】
（データ転送開始端末装置と基地局装置の距離ｄの他の算出方法）
以上の説明では、データ転送開始端末装置と基地局装置との距離ｄをデータ転送開始端末装置が知る方法として、図３(1) に示すように、データ転送開始端末装置がＧＰＳ受信機能を有し、基地局装置の場所があらかじめ特定できる場合を前提とした。これ以外には、次の方法がある。
【００３７】
図３(2) に示す方法は、データ転送開始端末装置がＧＰＳ情報から自身の位置座標を把握し、通信衛星から報知される基地局装置の位置座標との比較からｄを計算する。これは、データ転送開始端末装置がＧＰＳ受信機能を有し、基地局装置の場所があらかじめ特定できない場合に有効である。
【００３８】
図３(3) に示す方法は、データ転送開始端末装置において、基地局装置から送信される一定強度の電波の受信レベルからｄを推定する。なお、基地局装置の電波は受信できるものの、受信レベルが低いため基地局装置との通信はできない場合である。これは、データ転送開始端末装置がＧＰＳ受信機能を有さない場合に有効である。
【００３９】
（本発明の無線ネットワークシステムの端末装置の構成例および処理手順）
図４は、本発明の無線ネットワークシステムの端末装置の構成例を示す。
図４において、データ複製部１２は、データ入力部１１から転送するデータを入力すると、距離判定部１３で判定した端末装置と基地局装置間の距離に応じた数Ｌ個の複製データを複製し、バッファ部１４に蓄積する。このとき、バッファ部１４に蓄積したデータのヘッダ部には、ＴＴＬの初期値と、β' ＝βがデータに付随した情報として格納される。アンテナ１５から受信部１６を経由して受信したデータはバッファ部１４に蓄積する。ＴＴＬは、一定時間毎にカウントダウンし、ＴＴＬ＝０となったデータはバッファ部１４内から削除する。また、データ転送を行うたびにβ' の値を１ずつ減らし、β' ＝１となったデータは基地局装置以外にデータ転送を行わない。
【００４０】
基地局判定部１７は、基地局装置とのリンクを監視しており、基地局装置とのリンクが確立した時には、バッファ部１４内の全データを送信部１８を経由してアンテナ１５から基地局装置に転送する。転送先端末判定部１９は、転送先端末装置とのリンクを監視しており、転送先端末装置とのリンクが確立した時には、自端末装置がバッファに保持する２個以上の複製データに関して次の２事項を確認する。(1) 当該複製データと同じ複製データが転送先端末装置のバッファに保持されていないこと。(2) 当該複製データがβ＝１でないこと。この２事項が確認された場合は、当該複製データの一部（Ｄ個）を転送先端末装置にデータ転送する。この２事項が確認されない場合は、当該複製データのデータ転送は基地局装置に対してのみ行う。
【００４１】
図５は、本発明の無線ネットワークシステムの端末装置の処理手順を示す。
図５において、転送先端末装置とのリンクが確立した時には（Ｓ１：Yes ）、転送先端末装置が基地局装置以外か否かを判断する（Ｓ２）。基地局装置の場合（Ｓ２：No）は、バッファにある全てのデータを転送する（Ｓ３）。このとき、複製された同一データに関しては１つだけ転送して、その他の同一データはバッファから全て削除してもよい。
【００４２】
転送先端末装置が基地局装置でない場合（Ｓ２：Yes ）は、バッファ内のデータのなかで同じデータが転送先端末装置のバッファに保持されていないデータを転送対象データとして検索し（Ｓ４）、転送対象データがβ' ≠１のとき（Ｓ５：Yes ）、転送対象データからＤ個取り出し、取り出したデータをβ' ＝βに初期化して転送する（Ｓ６）。また、Ｄ個以外の転送対象データはβ' を１減らす。
【００４３】
図６は、本発明の性能評価を示す。ここでは、端末数を100 〜1000と変化させた時のテータ到着率を評価指標として用いる。データ到着率は、全てのデータ転送開始端末装置が作成した全てのデータ数に対する基地局装置に到着したデータ数の割合とする。比較対象をＥＰ、ＢＳＷとする。これより、本発明は従来技術に比べ高いデータ到着率をもつことが分かる。
【００４４】
なお、本発明の性能評価に用いたパラメータは次の通りである。
エリア面積 [ｍ2]        ：1000×1000
データ転送範囲 [ｍ]     ：1000
端末バッファ容量 [ＭＢ] ：５
データサイズ [ＭＢ]     ： 0.5〜1.0 
ＴＴＬ [ｈ]             ：５
【００４５】
ところで、以上の説明では、データ転送開始端末装置から基地局装置へのデータ転送について説明したが、基地局装置からデータ転送開始端末装置へのデータ転送でも、データの送信元と宛先を入れ替えるだけで本発明を適用することができる。
【符号の説明】
【００４６】
１  データ転送開始端末装置
２  基地局装置
３  データ転送開始端末装置以外の端末装置
１１  データ入力部
１２  データ複製部
１３  距離判定部
１４  バッファ部
１５  アンテナ
１６  受信部
１７  基地局判定部
１８  送信部
１９  転送先端末判定部
【図１】
0005991544.tif 000002
【図２】
0005991544.tif 000003
【図３】
0005991544.tif 000004
【図４】
0005991544.tif 000005
【図５】
0005991544.tif 000006
【図６】
0005991544.tif 000007
【図７】
0005991544.tif 000008
【図８】
0005991544.tif 000009
【図９】
0005991544.tif 000010